(57)【特許請求の範囲】
【請求項１】
集合住宅の集合玄関に設置され、通話手段を有する集合玄関機と、集合住宅の住戸に設置され、通話手段を有する住宅情報盤と、上記集合玄関機と上記住宅情報盤との間におけるインターホン通話を制御する制御装置とを具備するインターホンシステムにおいて、
上記住宅情報盤が、
上記インターホン通話が行なわれている場合に、操作される通話時間短縮ボタンと；
上記通話時間短縮ボタンが操作されると、通話時間短縮指令信号を送信する送信手段と；
を有し、
上記制御装置が、
上記通話時間短縮指令信号を受信する受信手段と；
上記通話時間短縮指令信号を受信したときにスタートし、所定時間を計時するタイマと；
上記タイマが計時したタイマ値が、上記所定時間に達したときに、インターホン通話を切断する通話切断手段と；
を有することを特徴とするインターホンシステム。
【請求項２】
集合住宅の集合玄関に設置され、通話手段を有する集合玄関機と、集合住宅の住戸に設置され、通話手段を有する住宅情報盤と、上記集合玄関機と上記住宅情報盤との間におけるインターホン通話を制御する制御装置とを具備するインターホンシステムにおいて、
上記住宅情報盤が、
上記インターホン通話が行なわれている場合に、操作される通話時間短縮ボタンと；
上記通話時間短縮ボタンが操作されると、通話時間短縮指令信号を送信する送信手段と；
を有し、
上記制御装置が、
インターホンの通話時間の最長時間が設定されている通話時間設定手段と；
インターホン通話が開始されたとき、または、集合玄関機からの呼び出しが開始されたときにスタートし、インターホンの通話時間を計時するタイマと；
上記通話時間短縮指令信号を受信する受信手段と；
上記通話時間短縮指令信号を受信したときに、上記設定されている通話時間の最長時間を、標準時間から予め設定されている短縮時間に短縮する通話時間短縮手段と；
上記タイマが計時したタイマ値が、上記通話時間の最長時間に達したときに、インターホン通話を切断する通話切断手段と；
を有することを特徴とするインターホンシステム。
【請求項３】
請求項２において、
上記集合玄関機が、
上記通話時間短縮指令信号を受信する受信手段と；
上記通話時間短縮指令信号を受信したときに、通話時間の残り時間または通話が切断される旨を通知する通知手段と；
を有することを特徴とするインターホンシステム。
【請求項４】
集合住宅の集合玄関に設置され、通話手段を有する集合玄関機と、集合住宅の住戸に設置され、通話手段を有する住宅情報盤と、上記集合玄関機と上記住宅情報盤との間におけるインターホン通話を制御する制御装置とを具備するインターホンシステムにおいて、
上記住宅情報盤が、
上記集合玄関機からの呼び出しがある場合に、操作される通話時間短縮ボタンと；
上記通話時間短縮ボタンが操作されると、通話時間短縮指令信号を送信する送信手段と；
を有し、
上記制御装置が、
呼び出しに対する無応答時間の最長時間が設定されている通話時間設定手段と；
インターホン通話の呼び出しが開始されたときにスタートし、呼び出しに対する無応答時間を計時するタイマと；
上記通話時間短縮指令信号を受信する受信手段と；
上記通話時間短縮指令信号を受信したときに、上記設定されている無応答時間の最長時間を、標準時間から予め設定されている短縮時間に短縮する通話時間短縮手段と；
上記タイマが計時したタイマ値が、上記無応答時間の最長時間に達したときに、インターホン通話の呼び出しを切断する通話切断手段と；
を有することを特徴とするインターホンシステム。
【発明の詳細な説明】
【技術分野】
【０００１】
本発明は、インターホンシステムに関する。
【背景技術】
【０００２】
マンション等の集合住宅において、インターホンシステムが設置されている。このインターホンシステムは、集合玄関に設置されている集合玄関機、各住戸に設置されている住宅情報盤、管理室に設置されている通話制御装置等によって構成され、通話制御装置によって、集合玄関機と住宅情報盤との間でインターホン通話が行える。
【０００３】
集合玄関機で住戸番号を指定し、呼出ボタンを押し、これによって所定の住戸を呼び出し、上記インターホン通話が実行される。
【０００４】
インターホン通話を制御する通話制御装置は、集合玄関機が呼び出した後、４０秒間程度の間、住宅情報盤から応答がなければ、呼び出しを切断する。また、住宅情報盤と通話が行われた場合、所定時間（たとえば５分間程度）、通話が行われると、その通話を強制的に切断する（たとえば、特許文献１参照）。
【０００５】
ところで、集合玄関機には、不特定多数の人が出入りできるので、家族や友人だけでなく、押し売り等によって、集合玄関機からの呼び出しが行なわれる。映像付きのインターホンシステムであれば、押し売りからの呼び出しがあった場合、住宅情報盤のモニタに表示される集合玄関機の映像を見た段階で、押し売りが呼び出していると判断でき、この場合には、居住者が通話ボタンを押さず、これによって通話をせずに済む。
【先行技術文献】
【特許文献】
【０００６】
【特許文献１】特公平３−１８６６号公報
【発明の概要】
【発明が解決しようとする課題】
【０００７】
しかし、映像を表示することができないインターホンシステムの場合、居住者は、誰から呼び出しを受けているのかを知ることができないので、押し売りからの呼び出しと知らずに、集合玄関機からの呼び出しに応じ、インターホン通話を開始することがある。このように、押し売り等、通話の相手にしたくない人からの呼び出しに応じた場合、一旦通話を開始すると、通話を終了することを切り出すタイミングを見つけ難く、したがって、インターホン通話に、必要以上の長い時間をとられるという問題がある。
【０００８】
つまり、上記従来例では、押し売り等からの呼び出しに応じて通話を開始した後に、通話を早めに終了させたくても、通話を終了することを切り出すタイミングを見つけ難いという問題がある。
【０００９】
本発明は、押し売り等からの呼び出しに応じて通話を開始した後に、通話を早めに終了させたい気持ちがありながら、通話を終了することを切り出すタイミングを見つけ難い場合でも、通話を早めに終了させることができるインターホンシステムを提供することを目的とする。
【課題を解決するための手段】
【００１０】
本発明は、集合住宅の集合玄関に設置され、通話手段を有する集合玄関機と、集合住宅の住戸に設置され、通話手段を有する住宅情報盤と、上記集合玄関機と上記住宅情報盤との間におけるインターホン通話を制御する制御装置とを具備するインターホンシステムにおいて、上記住宅情報盤が、上記インターホン通話が行なわれている場合に、操作される通話時間短縮ボタンと、上記通話時間短縮ボタンが操作されると、通話時間短縮指令信号を送信する送信手段とを有し、上記制御装置が、上記通話時間短縮指令信号を受信する受信手段と、上記通話時間短縮指令信号を受信したときにスタートし、所定時間を計時するタイマと、上記タイマが計時したタイマ値が、上記所定時間に達したときに、インターホン通話を切断する通話切断手段とを有することを特徴とするインターホンシステムである。
【発明の効果】
【００１１】
本発明によれば、押し売り等からの呼び出しに応じて通話を開始した後に、通話を早めに終了させたい気持ちがありながら、通話を終了することを切り出すタイミングを見つけ難い場合でも、通話を早めに終了させることができるという効果を奏する。
【図面の簡単な説明】
【００１２】
【図１】本発明の実施例１であるインターホンシステム１００を示すブロック図である。
【図２】インターホンシステム１００において、集合玄関機１０と、制御装置２０と、住宅情報盤ＪＢ３０３とをより具体的に示す図である。
【発明を実施するための形態】
【００１３】
発明を実施するための形態は、以下の実施例である。
【実施例１】
【００１４】
図１は、本発明の実施例１であるインターホンシステム１００を示すブロック図である。
【００１５】
インターホンシステム１００は、集合玄関機１０と、制御装置２０と、住宅情報盤ＪＢ１０１、……、ＪＢ３０３、……とによって構成されている。
【００１６】
上記各機器は、制御信号線Ｌｃと音声信号線Ｌａとを介して接続され、必要に応じて映像信号線にも接続される。
【００１７】
つまり、インターホンシステム１００は、集合住宅の集合玄関に設置され、通話手段を有する集合玄関機と、集合住宅の住戸に設置され、通話手段を有する住宅情報盤と、上記集合玄関機と上記住宅情報盤との間におけるインターホン通話を制御する制御装置とを具備するインターホンシステムである。
【００１８】
図２は、インターホンシステム１００において、集合玄関機１０と、制御装置２０と、住宅情報盤ＪＢ３０３とをより具体的に示す図である。
【００１９】
集合玄関機１０は、集合玄関に設置され、制御手段１１と、操作手段１２と、送受信手段１３と、通話手段１４と、マイクＭＣ１と、スピーカＳＰ１と、表示手段Ｄ１とを有する。
【００２０】
制御手段１１は、集合玄関機１０の全体を制御する。
【００２１】
操作手段１２は、テンキー１２１と、呼出ボタン１２２とを有し、テンキー１２１を介して住戸番号が押され、その後に呼出ボタン１２２が押されると、対応する住戸番号と、呼出信号とを送出する。
【００２２】
通話手段１４に、音声信号線ＬａとマイクＭＣ１とスピーカＳＰ１とが接続されている。
【００２３】
送受信手段１３は、制御装置２０との間で送受信を行い、制御手段１１から受信した住戸番号と呼出信号とを出力する。
【００２４】
表示手段Ｄ１は、テンキー１２１を介して入力された住戸番号と、通話時間の残り時間とを表示する。
【００２５】
また、制御手段１１は、操作手段１２から受信した住戸番号と呼出信号とを、送受信手段１３に出力する。
【００２６】
制御装置２０は、集合玄関機１０と住宅情報盤ＪＢ１０１、……、ＪＢ３０３、……とのインターホン通話を制御する。また、制御装置２０は、制御手段２１と、送受信手段２３と、通話時間設定手段２４と、タイマ２５と、切換スイッチＳＷ１とを有する。
【００２７】
制御手段２１は、制御装置２０の全体を制御する。
【００２８】
送受信手段２３は、集合玄関機１０から、住戸番号と呼出信号とを受信すると、受信した住戸番号の住宅情報盤に呼出信号を送信する。
【００２９】
通話時間設定手段２４には、たとえば無応答時間の最長時間として４０秒間が設定され、また、通話時間の最長時間として５分間が設定されている。上記無応答時間は、集合玄関機１０のテンキー１２１で住戸番号を押しその後に呼出ボタン１２２を押してから、テンキー１２１で押された相手の住戸が応答しない時間である。
【００３０】
上記通話時間の最長時間は、集合玄関機１０のテンキー１２１と呼出ボタン１２２とが押され、呼び出しが開始された後、通話ボタン３２１を押してから通話が切れるまでの時間である。なお、通話時間の起点は、通話が開始された時点でもよいが、集合玄関機１０から呼出信号を出力した時点でも構わない。
【００３１】
切換スイッチＳＷ１は、制御手段２１からの制御信号によって、通話路を接続し、また、形成された通話路を切るスイッチである。つまり、切換スイッチＳＷ１と制御手段２１とは、タイマが計時したタイマ値が、設定されている通話時間の最長時間に達したときに、インターホン通話を切断する通話切断手段の例である。
【００３２】
切換スイッチＳＷ１は、通話時間短縮ボタン３２２が押下されると、通話開始から、たとえば２分間半が経過した後に、強制的にオフするスイッチである。
【００３３】
なお、通話切断手段は、集合玄関機１０から住宅情報盤ＪＢを呼出中において住宅情報盤ＪＢから応答がないときに、タイマが計時したタイマ値が、無応答時間の最長時間である４０秒に達したときにも、インターホンの通話路を切断する。
【００３４】
タイマ２５は、通話時間設定手段２４に設定されている無応答時間の最長時間の４０秒間、通話時間の最長時間の５分間をカウントする。
【００３５】
つまり、通話時間設定手段２４は、無応答時または応答時におけるインターホンの通話時間の最長時間が設定されている通話時間設定手段の例である。タイマ２５は、インターホン通話が開始されたときにスタートし、インターホンの通話時間を計時するタイマの例である。また、送受信手段２３は、通話時間を短縮する指令であることを示す通話時間短縮指令信号を受信する受信手段の例である。通話時間設定手段２４は、通話時間短縮指令信号を受信したときに、設定されている通話時間の最長時間を、予め設定されている時間に短縮する通話時間短縮手段の例である。
【００３６】
ここで、通話時間の最長時間としては、標準時間である３００秒（５分間）と、短縮時間である１５０秒（２分間半）とが、通話時間設定手段２４に予め設定された時間として記憶されている。
【００３７】
住宅情報盤ＪＢ１０１、……、ＪＢ３０３、……は、集合住宅の各住戸に設置され、１０１号室の住戸用として、住宅情報盤ＪＢ１０１が設けられ、３０３号室の住戸用として、住宅情報盤ＪＢ３０３が設けられている。また、住宅情報盤ＪＢ１０１に、玄関子機Ｃ１０１が接続され、住宅情報盤ＪＢ３０３に、玄関子機Ｃ３０３が接続されている。
【００３８】
なお、以下の説明において、住宅情報盤ＪＢ３０３を例にとって説明するが、住宅情報盤ＪＢ３０３の以外の住宅情報盤の場合も同様である。
【００３９】
住宅情報盤ＪＢ３０３は、制御手段３１と、操作手段３２と、送受信手段３３と、通話手段３４と、スイッチＳＷ２と、表示手段Ｄ２とを有する。
【００４０】
制御手段３１は、住宅情報盤ＪＢ３０３の全体を制御する。
【００４１】
操作手段３２は、通話ボタン３２１と、通話時間短縮ボタン３２２とを有する。通話ボタン３２１は、居住者が通話を開始することを望む場合に押すボタンである。通話時間短縮ボタン３２２は、通話の途中で通話時間を短縮することを居住者が望む場合に押すボタンである。通話時間短縮ボタン３２２を押すと、制御手段３１は、通話時間を短縮する指令であることを示す通話時間短縮指令信号を出力する。
【００４２】
送受信手段３３は、制御信号線Ｌｃに接続され、呼出信号を受信し、通話時間短縮ボタン３２２が押されたときに、制御手段３１を介して、通話時間短縮指令信号を制御信号線Ｌｃに出力する。
【００４３】
通話時間短縮ボタン３２２は、インターホン通話が行なわれている場合に、操作される通話時間短縮ボタンの例である。また、送受信手段３３は、通話時間短縮ボタン３２２が操作されると、通話時間短縮指令信号を送信する送信手段の例である。
【００４４】
通話手段３４は、マイクＭＣ２とスピーカＳＰ２とが接続されている。
【００４５】
スイッチＳＷ２は、音声信号線Ｌａと通話手段３４とを接続させるスイッチであり、通話ボタン３２１が押下されると、一度目の押下でオンし、二度目の押下でオフするスイッチである。
【００４６】
次に、実施例１の動作について説明する。
【００４７】
まず、集合玄関機１０からテンキー１２１を操作し、住戸番号である「３０３」を指定して呼出ボタン１２２を押すと、対応する住戸に呼出信号が出力され、住宅情報盤ＪＢ３０３を呼び出す。制御装置２０は、呼出信号を受信すると、タイマ２５を起動し、計時を開始する。
【００４８】
住宅情報盤ＪＢ３０３で通話ボタン３２１を押し、インターホン通話が開始された後、訪問者を押し売り等と判断し、通話時間短縮ボタン３２２が操作されると、送受信手段３３を介して通話時間短縮指令信号が、制御装置２０と集合玄関機１０に送信される。
【００４９】
制御装置２０が、通話時間短縮指令信号を受信すると、通話時間設定手段２４が、設定されている通話時間の最長時間を、予め設定されている標準時間である５分間（３００秒間）から、たとえば短縮時間である２分間半（１５０秒）に変更し、通話時間を短縮する。
【００５０】
呼び出し時に起動したタイマ２５が計時するタイマ値が、２分間半に達したら、制御装置２０では、制御手段２１が切換スイッチＳＷ１をオフし、形成されている通話路を切断するので、インターホン通話は強制的に切れる。
【００５１】
実施例１によれば、呼び出しを行った者が、押売り等であり、通話開始後に居住者が通話を早く切りたい相手であれば、通話時間短縮ボタン３２２を押せばよく、通話時間短縮ボタン３２２を押すことによって、通話できる時間（通話最長時間）を短縮することができ、したがって、早めにしかも無理なく、通話を終了させることができる。
【００５２】
なお、通話ボタン３２１を押した後に、通話開始から２分間半以外の時間で、通話が切れるようにしてもよい。
【００５３】
実施例１では、通話時間に関して標準時間と短縮時間とを設定しておいて、通話時間短縮ボタン３２２が操作されたときに、通話時間を予め設定された短縮時間の値にするようにしたが、たとえば、通話時間短縮ボタン３２２が押された場合には、その通話時間短縮ボタン３２２が押されてから、たとえば３０秒後に通話が切断されるようにしてもよい。この場合には、短縮時間として３０秒が設定されている場合と結果は同じとなるが、構成は少し異なる。この場合には、通話時間短縮ボタン３２２が操作されたときに起動するタイマを設け、このタイマが所定時間（たとえば３０秒）に達したときに、通話切断信号を出力して、その信号を受信して制御手段２１が切換スイッチＳＷ１をオフにする。また、通話ボタン３２１を押してから３０秒間後に、通話回線が切れるようにしてもよい。
【実施例２】
【００５４】
本発明の実施例２は、インターホンシステム１００において、通話時間の残り時間を表示等して、通知する実施例である。
【００５５】
実施例２の構成は、図２に示すインターホンシステム１００と同様であるので、これに使用されている部材を使用して、以下、説明する。
【００５６】
実施例２において、集合玄関機１０の表示手段Ｄ１に、通話時間の残り時間を表示する。たとえば、「残り通話時間は、××秒間です。」とし、この「××」の代わりに、実際の残り通話時間を、カウントダウンして表示するようにしてもよい。
【００５７】
また、通話時間の残り時間が、所定時間、たとえば、３０秒間よりも短くなったら、集合玄関機１０のスピーカＳＰ１から、プレ終了音としてブーブー等の警告音を発するようにしてもよい。または、「間もなく通話が終了します。」等、通話時間の残り時間が少ないことを、音声合成で通知するようにしてもよい。この場合には、音声合成手段を付加する必要がある。
【００５８】
上記のようにすることによって、通話時間の残り時間が少ないことが集合玄関で表示または音で通知されるので、押し売り等が間もなく自動的に通話が切れることを認識し、強引な押し売りの続行が断念されることを期待できる。
【００５９】
さらに、集合玄関機１０の表示手段Ｄ１に、たとえば、通話時間が残り３０秒未満となったときに、通話時間の残り時間を表示するとともに、住宅情報盤における表示手段Ｄ２に、上記と同様に、たとえば、「残り通話時間は、××秒間です。」と表示するようにする。また、住宅情報盤におけるスピーカＳＰ２から、上記と同様に、「間もなく通話が終了します。」等、通話時間の残り時間が少ないことを、音声合成で通知するようにしてもよい。このようにすることによって、通話時間の残り時間が少ないことが集合玄関でも表示または音で通知されていることを、住戸内の居住者が知り、間もなく自動的に通話が切れることを認識でき、押し売りとの通話が間もなく終わるので、安心できる。
【００６０】
つまり、送受信手段１３は、通話時間短縮指令信号を受信する受信手段の例である。スピーカＳＰ１は、通時間短縮信号を受信したときに、通話時間の残り時間または通話が切断される旨を通知する通知手段の例である。この場合、上記通知手段は、注意音または音声をスピーカから発生する手段の例であり、また、通話時間の残り時間を表示する表示手段Ｄ１の例である。
【００６１】
なお、集合玄関機１０からの呼出中において、通話時間短縮ボタン３２２が操作された場合には、無応答時間の最長時間である４０秒を２０秒に短縮するように変更してもよい。
【００６２】
映像のないインターホンシステムでは、呼出に応じないと、訪問客が誰であるかはわからないが、呼び出しの時間帯から、明らかに友人や家族等ではなく、訪問者が押し売りの可能性が高い場合等は、このようにしておくと、室内で鳴る呼出音の鳴動時間が減るので、室内で落ち着くことが可能となる。
【符号の説明】
【００６３】
１００…インターホンシステム、  １０…集合玄関機、  １１…制御手段、１２…操作手段、  １４…通話手段、  Ｄ１…表示手段、  ２０…制御装置、  ２１…制御手段、  ２４…通話時間設定手段、  ２５…タイマ、  ＪＢ３０３…住宅情報盤、  ３１…制御手段、  ３２…操作手段、  ３２１…通話ボタン、  ３２２…通話時間短縮ボタン、  Ｄ２…表示手段。
【図１】
0005465580.tif 000002
【図２】
0005465580.tif 000003